(57)【要約】 【課題】  従来の赤外線の発信器の防水構造では、防水性能が低下し易い、という問題があった。【解決手段】  防水リモコン装置は外装材４ａ、４ｂを接合によって外箱４を形成した際にできる接合線４ｃを有する面で、かつ外装材４ａ、４ｂの一方にのみ設けられ、赤外線の発信器１５により赤外線を外部に向けて発する孔４ｄと、孔４ｄ及び孔４ｄを中心とする全周を所定の幅以上を覆う赤外線を透過する透過板５と、前記外装材の一方の外面にある孔４ｄを中心とした全周に渡り所定の幅以上に透過板５と密着する密着面４ｅとを有している様に構成されている。【選択図】図3
2010193519.tif 000002
【特許請求の範囲】
【請求項１】
少なくとも操作部、表示部及び電池収納部の蓋を外面に有する略直方体の外箱と、該外箱を形成する少なくとも二つに分割された部材より成る外装材と、該外箱の内部に設けた赤外線の発信器と、を有する防水リモコン装置において、前記外装材を接合によって外箱を形成した際にできる接合線を有する面で、かつ前記外装材の一方にのみ設けられ、前記赤外線の発信器により赤外線を外部に向けて発する孔と、該孔及び該孔を中心とする全周を所定の幅以上を覆う赤外線を透過する透過板と、前記外装材の一方の外面にある前記孔を中心とした全周に渡り所定の幅以上に前記透過板と密着する密着面と、を有していることを特徴とする防水リモコン装置。
【発明の詳細な説明】
【技術分野】
【０００１】
本発明は、内部に収納された電池により他の空気調和機、給湯器、浴室暖房乾燥機等に対して赤外線を利用して操作するリモコン装置（遠隔操作装置）であって、該リモコン装置を使用する場所が浴室内又は屋外等の理由により防水性能が必要となる防水リモコン装置に関するものである。
【背景技術】
【０００２】
従来、防水リモコン装置の赤外線等の発信器に関して各種の防水構造が提案されており、概略以下の内容であった。
（１）赤外線の発信器の素子の周囲と外箱の周囲をパッキンにて防水構造としたもの。（特許文献１）
（２）外箱（ケース本体）の角部に発光部カバーを超音波溶着により接合して防水構造とするもの。（特許文献２）
（３）光透過材料よりなるキャップ（有底筒状のもの）を外箱（ケーシング）に嵌合させ、重なりあう部分にパッキン（シール材）による防水構造とするもの。（特許文献３）
【先行技術文献】
【特許文献】
【０００３】
【特許文献１】実開平６−７７３８６号公報
【特許文献２】特開平９−３３１５８４号公報
【特許文献３】実開昭６１−１８１４７０号公報
【発明の概要】
【発明が解決しようとする課題】
【０００４】
しかしながら、前記従来の防水リモコン装置は以下の課題を有していた。
【０００５】
ａ．赤外線の発信器の防水構造については、（１）のように円筒形の赤外線の発信器の周囲と外箱との間をＯリング又はパッキンにより密着させて防水構造とするものは、前記赤外線の発信器が外部に露出しているため、前記赤外線の発信器が使用者等によって簡単に動いてしまい、パッキンと外箱との間に隙間ができるため防水性能が損なわれるという問題があった。また、外箱は内部に制御基板を内蔵しているため外箱の最も広い面と面とを分断する形で二つの外装材に分かれており、この接合線上にＯリング又はパッキンの密着面が設けられていれば、一層防水性能は低下し易いという問題があった。
【０００６】
ｂ．（２）の赤外線発信器の防水構造については、発光部カバーと外箱を超音波溶着により接合しているので、組立が容易でなく、また発光部カバーの材質は所定の厚み及び強度が必要になるという問題があった。
【０００７】
ｃ．（３）の赤外線発信器の防水構造については、有底筒状のキャップで外箱の一端を覆うという大きな部材が必要となりそのシール面も外箱の全周に渡るため外箱の変形により防水性能が簡単に失われ易いことと、外箱においては、ｂでも述べたようにキャップと重なり合う面に接合線が発生することは避けられないので、防水性能が劣るという問題があった。
また、外箱において超音波溶着にて接合する場合は接合線には溶けだしたバリがＯリング又はパッキンの密着面にはみ出してくることは（１）の場合も含めて問題があった。
【０００８】
本発明は上記従来の課題を解決するもので、赤外線の発信器部については組立が容易で、かつ防水性能に優れる防水リモコン装置の提供を目的とする。
【課題を解決するための手段】
【０００９】
上記の課題を解決するため、本発明では、次の技術的手段が講じられている。
【００１０】
第１発明の防水リモコン装置は少なくとも操作部、表示部及び電池収納部の蓋を外面に有する略直方体の外箱と、該外箱を形成する少なくとも二つに分割された部材より成る外装材と、該外箱の内部に設けた赤外線の発信器と、を有する防水リモコン装置において、前記外装材を接合によって外箱を形成した際にできる接合線を有する面で、かつ前記外装材の一方にのみ設けられ、前記赤外線の発信器により赤外線を外部に向けて発する孔と、該孔及び該孔を中心とする全周を所定の幅以上を覆う赤外線を透過する透過板と、前記外装材の一方の外面にある前記孔を中心とした全周に渡り所定の幅以上に前記透過板と密着する密着面とを有している技術的手段が講じられている。
【発明の効果】
【００１１】
以上のような、技術的手段が講じられていることにより、以下の効果を有する。
第１発明によれば、上外箱と下外箱の接合線は、赤外線発信器を設ける外箱の面には前記透過シート貼付範囲を避けて前記下外箱側に偏って設けてあるので、前記接着剤又は両面テープ等で接合する際により隙間なく密着できる接合面を得ることができるという作用が得られる。また、隙間なく密着できる接合面を得ることができることにより、シートによる密着であっても優れた防水効果が得られる。
【図面の簡単な説明】
【００１２】
【図１】本発明の防水リモコン装置の模式外観図であり、（ａ）は操作部側より、（ｂ）は蓋側より見た図である。
【図２】本発明の防水リモコン装置の断面図である。
【図３】赤外線発信器の透過シートに関する要部拡大図である。
【発明を実施するための形態】
【００１３】
発明を実施する形態について、図面に基づいて具体的に説明する。
【実施例１】
【００１４】
本発明における防水リモコン装置の実施の形態について、以下図面を用いて説明する。
図１は防水リモコン装置の模式外観図であり、図２は防水リモコン装置の断面図、図３は要部拡大図であり、各部の説明において、同じ箇所には同じ符号を付けて説明を省略する。
【００１５】
図１の本発明の防水リモコン装置の構成図において、（ａ）は防水リモコン装置を上側（操作部側）から見た図であり、（ｂ）は下側（電池収納部側）より見た図である。図中、１は浴室内に設置した浴室暖房換気装置や屋外に設置された給湯器等（図示せず、以下機器という）を操作する外観が略直方体である防水リモコン装置、２は該防水リモコン装置１の外面にあり液晶、蛍光表示管、７セグメントＬＥＤ等を用いて文字や図形等により機器の設定内容を表示する表示部、３は前記防水リモコン装置１の外面にあって機器の各種の運転状態を設定する複数のスイッチよりなる操作部、４は前記防水リモコン装置１の外郭及び内部の基板等を収納しかつ固定する構造を成型用金型により樹脂で形成した外箱で、成型して箱体を形作るため上外箱４ａ及び下外箱４ｂに分割して成型しその後、内部に基板等を取付た後、超音波で溶着接合したり、パッキンを挟んでねじ締めして接合したりしている。４ｃは前記上外箱４ａ及び前記下外箱４ｂを接合した際にできる接合線、５は前記外箱４の内部にある赤外線発信器（図２において後述する）の外側にあって赤外線を透過する樹脂のフィルムよりなり前記外箱４に貼付してある透過シート、６は前記防水リモコン装置１の電源となる電池を収納する電池収納部（図２において後述する）を覆い着脱自在とし電池の交換を可能とした蓋、７は該蓋６を前記下外箱４ｂに固定するねじである蓋固定具で、該蓋固定具７の頭部には１０円、１００円、５００円等の硬貨により旋回することができる溝が設けられており、軸部の雄ねじは前記上外箱４ａ又は下外箱４ｂに形成された雌ねじまたは前記上外箱４ａ又は下外箱４ｂに圧入された雌ねじを持つナット又はブッシュ等に螺合している。
【００１６】
図２は図１の防水リモコン装置の断面図であり、電池収納部を上側になるように図示している。８は前記下外箱４ｂの一部を凹ませて成型して周囲が壁に囲まれた電池収納部、８ａは該電池収納部８に収納された電池で、通称単四形や単三形等の円筒形の乾電池を想定して図示しているが、その他のコイン形、ボタン形、ピン形等を用いるものとしても良い。１０は前記防水リモコン装置１の前記表示部２の表示内容及び前記操作部３よりの操作内容を受けて後述する赤外線発信器より外部の機器に対して信号を発信する制御手段が実装された基板、１１は材質が天然ゴム、合成ゴム、樹脂等の弾性体であり、断面が円形であることから一般にＯリングと呼ばれる全体が輪状である第一の密閉部材、１２も同じく材質が天然ゴム、合成ゴム、樹脂等の弾性体であり、断面が円形であることから一般にＯリングと呼ばれる全体が輪状である第二の密閉部材で、前記第一の密閉部材１１及び該第二の密閉部材１２は前記下外箱４ｂと前記蓋６との間において所定の間隔になるように成形された隙間にはまり込むことにより密着し、前記隙間よりの水の浸入を防止する。１３は前記上外箱４ａに複数設けられた孔より複数突出し、前記基板１０に設けられた接点の開閉を伝達する伝達部材、１４は該伝達部材１３と同時に前記上外箱４ａの外面を覆う樹脂の薄い膜よりなるシートで、該シート１４は前記操作部３を覆いかつ、該シート１４及び前記上外箱４ａが接着剤により張り付けられることにより該操作部３側の防水効果を持っている。また、前記操作部３に設けられた個々の操作手段であるスイッチは前記シート１４に描かれた文字及び図形または、前記シート１４の前記伝達部材１３に対応する一定の範囲を成型することにより凸状とすることでスイッチであることを明示するとともにスイッチの作動ストロークを稼いでいる。１５は前記基板１０に実装して前記基板の制御内容により外部の機器に赤外線を発信する赤外線発信器である。
【００１７】
図３は前記防水リモコン装置１の透過シート５側の要部拡大図であり、前記透過シート５の貼付について説明している。
図中、４ｄは上外箱４ａ側に穿たれた赤外線発信器１５の発光方向に対応する発信器用孔、４ｅは該発信器用孔４ｄの周囲に前記上外箱４ａの表面にわずかに凹ませた区画として設けた透過シート貼付範囲で、該透過シート貼付範囲４ｅには透過シート５の最小貼付間隔Ｃを設けている。
ここで最小貼付間隔Ｃは２ｍｍ以上、好ましくは５ｍｍ程度としている。この最小貼付間隔Ｃは前記透過シート５と前記透過シート貼付範囲４ｅとの接合剤の種類によっても異なるが、２ｍｍ未満とすると水密性を保つための信頼性に欠けることとなる。逆に最小貼付間隔Ｃを大きくする方が水密性を保つための信頼性を確保するためには好ましいものとなるが、防水リモコン装置１は使用者が持ち易く、かつ操作し易い等の外観上の制限により５ｍｍ程度を好ましいものとしている。
前記透過シート５の前記透過シート貼付範囲４ｅに貼付する片面には接着剤又は両面テープ等の接合剤が塗布してあり、密着することにより前記透過シート５は前記透過シート貼付範囲４ｅに接合する。このとき、前記上外箱４ａと下外箱４ｂの接合線４ｃは、赤外線発信器１５を設ける外箱４の面には前記透過シート貼付範囲４ｅを避けて前記下外箱４ｂ側に偏って設けてあるので、前記接着剤又は両面テープ等で接合する際に、より密着する接合面を得ることができる。
【符号の説明】
【００１８】
１：防水リモコン装置
２：表示部
３：操作部
４：外箱
４ａ：上外箱
４ｂ：下外箱
４ｃ：接合線
４ｄ：発信器用孔
４ｅ：透過シート貼付範囲
５：透過シート
６：蓋
７：蓋固定具
８：電池収納部
８ａ：電池
１０：基板
１３：伝達部材
１４：シート
１５：赤外線発信器
【図１】
2010193519.tif 000003
【図３】
2010193519.tif 000004
【図２】
2010193519.tif 000005